(57)【要約】【課題】複数枚の非接触ＩＣカードに記憶された電子バリューを一元的に記憶し、記憶した電子バリューを用いて外部装置と非接触通信を行うことが可能な電子財布装置、通信方法、およびプログラムを提供する。【解決手段】複数の非接触ＩＣカードを着脱可能に収納する収納部と、外部装置と非接触通信を行う外部通信用アンテナと、外部装置から送信される通信要求を復調し、応答信号を送信する送受信部と、所定のサービスに対応する電子バリューを記憶する記憶部と、非接触ＩＣカードの装着に応じて非接触ＩＣカードの種別を判定するカード認識部と、判定結果に応じて非接触ＩＣカードに記憶された電子バリューを記憶部に記録するカード内部情報記録部と、記憶部に記憶された電子バリューの中から対応する電子バリューを選択して通信要求が要求する処理を行い、応答信号を送受信部に送信させるデータ処理部とを備える電子財布装置が提供される。【選択図】図６
2009110202.tif 000002
【特許請求の範囲】
【請求項１】
外部装置と非接触通信可能な複数の非接触ＩＣカードを着脱可能に収納する収納部と；
前記外部装置と非接触通信を行うための外部通信用アンテナと；
前記外部通信用アンテナが受信した前記外部装置から送信される所定のサービスに関連する通信要求を復調し、前記外部通信用アンテナを介して前記外部装置へ応答信号を送信する送受信部と；
所定のサービスに対応する電子バリューを１、または２以上記憶する記憶部と；
前記収納部における前記非接触ＩＣカードの装着に応じて、装着された前記非接触ＩＣカードの種別を判定するカード認識部と；
前記カード認識部の判定結果に応じて、前記収納部に装着された非接触ＩＣカードに記憶された電子バリューを前記記憶部に記録するカード内部情報記録部と；
前記送受信部が復調した通信要求に基づいて、前記記憶部に記憶された電子バリューの中から前記通信要求が対応する電子バリューを選択して前記通信要求が要求する処理を行い、前記処理に応じた応答信号を前記送受信部に送信させるデータ処理部と；
を備えることを特徴とする、電子財布装置。
【請求項２】
前記カード内部情報記録部は、前記記憶部に記憶された電子バリューのうち前記非接触ＩＣカードに記憶された電子バリューと対応する電子バリューの値に前記非接触ＩＣカードに記憶された電子バリューの値を加算し、前記非接触ＩＣカードに記憶された電子バリューの値を前記加算の分減算することを特徴とする、請求項１に記載の電子財布装置。
【請求項３】
前記カード認識部は、前記非接触ＩＣカードに記憶されたコードに基づいて、装着された前記非接触ＩＣカードに記憶された電子バリューが前記記憶部に記憶可能な電子バリューであるか否かを前記種別として判定することを特徴とする、請求項１に記載の電子財布装置。
【請求項４】
１または２以上の外部装置と通信可能な通信部をさらに備え、
前記カード認識部は、装着された前記非接触ＩＣカードに記憶された電子バリューを前記記憶部に記憶可能な電子バリューではないと判定した場合には、前記通信部を介して前記外部装置と通信し、装着された前記非接触ＩＣカードの前記コードに対応するための対応情報を取得することを特徴とする、請求項３に記載の電子財布装置。
【請求項５】
前記収納部に収納された前記非接触ＩＣカードが記憶する電子バリューに対応する前記記憶部に記憶された電子バリューの値を、選択的に前記非接触ＩＣカードが記憶する前記電子バリューへと書き戻すカード内部情報書き戻し部をさらに備えることを特徴とする、請求項１に記載の電子財布装置。
【請求項６】
前記カード内部情報書き戻し部は、前記非接触ＩＣカードが記憶する前記電子バリューの値に前記記憶部に記憶された電子バリューの値を加算し、前記記憶部に記憶された電子バリューの値を前記加算の分減算することを特徴とする、請求項５に記載の電子財布装置。
【請求項７】
前記カード内部情報書き戻し部が電子バリューの値を書き戻す前記収納部に収納された前記非接触ＩＣカードの選択、および／または、前記カード内部情報書き戻し部が書き戻す電子バリューの選択、および／または、前記カード内部情報書き戻し部が書き戻す電子バリューの値の選択を行う操作部をさらに備えることを特徴とする、請求項５に記載の電子財布装置。
【請求項８】
前記収納部は、前記カード内部情報書き戻し部において非接触ＩＣカードへの電子バリューの値の書き戻しが完了すると、電子バリューの値が書き戻された前記非接触ＩＣカードの排出を可能とすることを特徴とする、請求項５に記載の電子財布装置。
【請求項９】
前記記憶部に記憶された電子バリューの記憶方式を管理する電子バリュー管理部をさらに備えることを特徴とする、請求項１に記載の電子財布装置。
【請求項１０】
前記電子バリュー管理部は、前記記憶部に記憶される電子バリューをサービスごとに記憶させることを特徴とする、請求項９に記載の電子財布装置。
【請求項１１】
前記電子バリュー管理部は、電子バリューの相互利用が可能な関連するサービスの電子バリューを一つの電子バリューとして前記記憶部に記憶させることを特徴とする、請求項１０に記載の電子財布装置。
【請求項１２】
前記電子バリュー管理部は、電子マネーを通貨ごとに共通の電子バリューとして前記記憶部に記憶させることを特徴とする、請求項９に記載の電子財布装置。
【請求項１３】
外部装置と非接触通信可能な複数の非接触ＩＣカードを収納可能な収納部と、前記外部装置と非接触通信を行うための外部通信用アンテナと、記憶部とを備える電子財布装置における通信方法であって：
前記収納部における非接触ＩＣカードの装着を検出するステップと；
前記検出するステップにおいて前記非接触ＩＣカードの装着が検出されると、装着された前記非接触ＩＣカードの種別を判定するステップと；
前記判定するステップの判定結果に応じて検出された前記非接触ＩＣカードに記憶された電子バリューを前記記憶部に記録するステップと；
前記外部装置から送信された所定のサービスに関連する通信要求を前記外部通信用アンテナが受信すると、前記記憶部に記憶された電子バリューの中から前記通信要求に対応する電子バリューを選択するステップと；
前記選択するステップにおいて選択された前記電子バリューを用いて前記通信要求に対応する処理を行うステップと；
前記処理を行うステップにおける処理結果に応じた応答信号を前記外部通信用アンテナを介して前記外部装置へ送信するステップと；
を有することを特徴とする、通信方法。
【請求項１４】
外部装置と非接触通信可能な複数の非接触ＩＣカードを収納可能な収納部と、前記外部装置と非接触通信を行うための外部通信用アンテナと、記憶部とを備える電子財布装置において用いることが可能なプログラムであって：
前記収納部における非接触ＩＣカードの装着を検出するステップ；
前記検出するステップにおいて前記非接触ＩＣカードの装着が検出されると、装着された前記非接触ＩＣカードの種別を判定するステップ；
前記判定するステップの判定結果に応じて検出された前記非接触ＩＣカードに記憶された電子バリューを前記記憶部に記録するステップ；
前記外部装置から送信された所定のサービスに関連する通信要求を前記外部通信用アンテナが受信すると、前記記憶部に記憶された電子バリューの中から前記通信要求に対応する電子バリューを選択するステップ；
前記選択するステップにおいて選択された前記電子バリューを用いて前記通信要求に対応する処理を行うステップ；
前記処理を行うステップにおける処理結果に応じた応答信号を前記外部通信用アンテナを介して前記外部装置へ送信するステップ；
をコンピュータに実行させるためのプログラム。
【発明の詳細な説明】
【技術分野】
【０００１】
本発明は、電子財布装置、通信方法、およびプログラムに関する。
【背景技術】
【０００２】
近年、リーダ／ライタ（または、リーダ／ライタ機能を有する情報処理装置）と非接触式に通信可能な非接触ＩＣ（Integrated  Circuit）カードが普及している。リーダ／ライタと非接触ＩＣカードとは、例えば１３．５６ＭＨｚなど特定の周波数の磁界を搬送波として用いることにより通信を行う。具体的には、リーダ／ライタが搬送波信号をのせた搬送波を送信し、搬送波をアンテナで受信した非接触ＩＣカードが負荷変調によって受信した搬送波信号に対する応答信号を返信することによって、リーダ／ライタと非接触ＩＣカードとは通信を行うことができる。また、非接触ＩＣカードは、例えば１３．５６ＭＨｚなど特定の周波数（共振周波数）で共振させる共振回路を備えることによりリーダ／ライタから送信される搬送波信号の復調などをより確実なものとし、リーダ／ライタとの間の通信の安定化を図っている。
【０００３】
したがって、非接触ＩＣカードが、例えば、財布やＩＣカードホルダーなどに入れたままの状態であっても、リーダ／ライタにかざすだけでデータ通信を行うことができる。このため、非接触ＩＣカードは、例えば、電子マネーシステム、交通機関の改札システム、社員証などを用いた入館・入室用システムなど、種々のサービスを提供するＩＣカードシステムに応用されており、非接触ＩＣカードの普及がますます進んでいる。
【０００４】
ＩＣカードシステムが社会的に広がるにつれ、ユーザが同種または異種のサービスに関する複数枚の非接触ＩＣカードを所持することは珍しいことではなくなってきている。ここで、電子マネーが記憶された非接触ＩＣカードを例に挙げると、ユーザが電子マネーが記憶された非接触ＩＣカードを複数枚所持している場合には、それぞれの非接触ＩＣカードに対して個別に電子マネーを入金する必要がある。しかしながら、一度入金された電子マネーの値は、たとえ同種のサービスに対応する非接触ＩＣカード間であっても移動させることはできないので、ユーザは、非接触ＩＣカードごとに入金した電子マネーを使用するしかない。したがってユーザに不便を強いていた。
【０００５】
このような中、発行元が異なる複数種類の電子マネーを組み合わせて使用可能とする技術が開発されている。プリペイド型の電子マネーにおいて、発行元が異なる複数種類の電子マネーを組み合わせて小額決済を行う技術としては、例えば、特許文献１が挙げられる。
【０００６】
【特許文献１】特開２００４−１３３６９３号公報
【発明の開示】
【発明が解決しようとする課題】
【０００７】
しかしながら、発行元が異なる複数種類の電子マネーを組み合わせて使用可能とする従来の技術は、各電子マネーの発行元サーバへの照会が必要な大規模なシステムを必要とする。したがって、例えば、ネットワーク障害などが発生して発行元サーバへの照会が行えない場合には、複数の電子マネーを組み合わせて使用することはできない。また、発行元が異なる複数種類の電子マネーを組み合わせて使用可能とする従来の技術を用いたとしても非接触ＩＣカード間で電子マネーを移動させることはできないことから、上記のように、例えば、ネットワーク障害などが発生して発行元サーバへの照会が行えない場合には、結局の所１枚の非接触ＩＣカードを用いて決済を行うしかなく、ユーザへ強いる不便を解消することはできない。
【０００８】
また、ＩＣカードシステムが社会的に広がるにつれ、ユーザが同種または異種のサービスに関する複数枚の非接触ＩＣカードを携帯することは珍しいことではなくなってきている。複数枚の非接触ＩＣカードを携帯するに際して、ユーザは、例えば、複数枚の非接触ＩＣカードを財布やバック、ＩＣカードホルダーなどに入れて携帯する。ユーザが、例えば、上記のようにまとめて携帯された複数枚の非接触ＩＣカードを同時にリーダ／ライタにかざした場合、複数枚の非接触ＩＣカードがリーダ／ライタの通信範囲内（リーダ／ライタの発する磁界の強さが通信可能な所定の大きさの範囲内）に存在することとなる。この場合、複数枚の非接触ＩＣカードのアンテナコイルが互いに磁気結合するなど種々の要因により各非接触ＩＣカードにおける共振周波数にずれが生じ、いずれの非接触ＩＣカードも通信できなくなるという問題が起こりうる。上記の場合には、例えば、電子マネーや電子チケット、公共交通機関の電子乗車券などの電子バリューを用いたサービスを受けることはできないことから、ユーザは、非接触ＩＣカードを再度（あるいは、複数回）リーダ／ライタにかざす動作を行わなければならない。ここで、電子バリューとは、経済的な価値を有する情報を電子化したものである。
【０００９】
しかしながら、発行元が異なる複数種類の電子マネーを組み合わせて使用可能とする従来の技術は、上記の問題について何らの考慮もしていないので、たとえ、ネットワーク障害などが生じていない場合であっても、決済が行えない場合が起こりうる。したがって、発行元が異なる複数種類の電子マネーを組み合わせて使用可能とする従来の技術を用いたとしても、ユーザに負担を課してしまう。
【００１０】
本発明は、上記問題に鑑みてなされたものであり、本発明の目的とするところは、同時に携帯される複数枚の非接触ＩＣカードそれぞれに記憶された電子バリューを一元的に記憶し、記憶した電子バリューを用いて外部装置と搬送波を用いた非接触通信を行うことが可能な、新規かつ改良された電子財布装置、通信方法、およびプログラムを提供することにある。
【課題を解決するための手段】
【００１１】
上記目的を達成するために、本発明の第１の観点によれば、外部装置と非接触通信可能な複数の非接触ＩＣカードを着脱可能に収納する収納部と、上記外部装置と非接触通信を行うための外部通信用アンテナと、上記外部通信用アンテナが受信した上記外部装置から送信される所定のサービスに関連する通信要求を復調し、上記外部通信用アンテナを介して上記外部装置へ応答信号を送信する送受信部と、所定のサービスに対応する電子バリューを１、または２以上記憶する記憶部と、上記収納部における上記非接触ＩＣカードの装着に応じて、装着された上記非接触ＩＣカードの種別を判定するカード認識部と、上記カード認識部の判定結果に応じて、上記収納部に装着された非接触ＩＣカードに記憶された電子バリューを上記記憶部に記録するカード内部情報記録部と、上記送受信部が復調した通信要求に基づいて、上記記憶部に記憶された電子バリューの中から上記通信要求が対応する電子バリューを選択して上記通信要求が要求する処理を行い、上記処理に応じた応答信号を上記送受信部に送信させるデータ処理部とを備える電子財布装置が提供される。
【００１２】
かかる構成により、同時に携帯される複数枚の非接触ＩＣカードそれぞれに記憶された電子バリューを一元的に記憶し、記憶した電子バリューを用いて外部装置と搬送波を用いた非接触通信を行うことができる。
【００１３】
また、上記カード内部情報記録部は、上記記憶部に記憶された電子バリューのうち上記非接触ＩＣカードに記憶された電子バリューと対応する電子バリューの値に上記非接触ＩＣカードに記憶された電子バリューの値を加算し、上記非接触ＩＣカードに記憶された電子バリューの値を上記加算の分減算してもよい。
【００１４】
かかる構成により、記録前の電子バリューの値の総和と、記録後の電子バリューの値の総和とを同一に保った状態で、複数枚の非接触ＩＣカードそれぞれに記憶された電子バリューを一元的に管理することができる。
【００１５】
また、上記カード認識部は、上記非接触ＩＣカードに記憶されたコードに基づいて、装着された上記非接触ＩＣカードに記憶された電子バリューが上記記憶部に記憶可能な電子バリューであるか否かを上記種別として判定してもよい。
【００１６】
かかる構成により、外部装置との間の通信において使用可能な電子バリューを選択的に記憶することができる。
【００１７】
また、１または２以上の外部装置と通信可能な通信部をさらに備え、上記カード認識部は、装着された上記非接触ＩＣカードに記憶された電子バリューを上記記憶部に記憶可能な電子バリューではないと判定した場合には、上記通信部を介して上記外部装置と通信し、装着された上記非接触ＩＣカードの上記コードに対応するための対応情報を取得してもよい。
【００１８】
かかる構成により、汎用性をより高めることができる。
【００１９】
また、上記収納部に収納された上記非接触ＩＣカードが記憶する電子バリューに対応する上記記憶部に記憶された電子バリューの値を、選択的に上記非接触ＩＣカードが記憶する上記電子バリューへと書き戻すカード内部情報書き戻し部をさらに備えてもよい。
【００２０】
かかる構成により、収納された非接触ＩＣカード間で電子バリューを移動させることができる。
【００２１】
また、上記カード内部情報書き戻し部は、上記非接触ＩＣカードが記憶する上記電子バリューの値に上記記憶部に記憶された電子バリューの値を加算し、上記記憶部に記憶された電子バリューの値を上記加算の分減算してもよい。
【００２２】
かかる構成により、書き戻し前の電子バリューの値の総和と、書き戻し後の電子バリューの値の総和とを同一に保つことができる。
【００２３】
また、上記カード内部情報書き戻し部が電子バリューの値を書き戻す上記収納部に収納された上記非接触ＩＣカードの選択、および／または、上記カード内部情報書き戻し部が書き戻す電子バリューの選択、および／または、上記カード内部情報書き戻し部が書き戻す電子バリューの値の選択を行う操作部をさらに備えてもよい。
【００２４】
かかる構成により、ユーザ入力に応じて記憶部に記憶された電子バリューを非接触ＩＣカードに選択的に書き戻すことができる。
【００２５】
また、上記収納部は、上記カード内部情報書き戻し部において非接触ＩＣカードへの電子バリューの値の書き戻しが完了すると、電子バリューの値が書き戻された上記非接触ＩＣカードの排出を可能としてもよい。
【００２６】
かかる構成により、書き戻し前の電子バリューのバリュー値の総和と、書き戻し後の電子バリューのバリュー値の総和とを同一に保つことができる。
【００２７】
また、上記記憶部に記憶された電子バリューの記憶方式を管理する電子バリュー管理部をさらに備えてもよい。
【００２８】
また、上記電子バリュー管理部は、上記記憶部に記憶される電子バリューをサービスごとに記憶させてもよい。
【００２９】
また、上記電子バリュー管理部は、電子バリューの相互利用が可能な関連するサービスの電子バリューを一つの電子バリューとして上記記憶部に記憶させてもよい。
【００３０】
また、上記電子バリュー管理部は、電子マネーを通貨ごとに共通の電子バリューとして上記記憶部に記憶させてもよい。
【００３１】
かかる構成により、複数枚の非接触ＩＣカードそれぞれに記憶された電子バリューを一元的に管理することができる。
【００３２】
また、上記目的を達成するために、本発明の第２の観点によれば、外部装置と非接触通信可能な複数の非接触ＩＣカードを収納可能な収納部と、上記外部装置と非接触通信を行うための外部通信用アンテナと、記憶部とを備える電子財布装置における通信方法であって、上記収納部における非接触ＩＣカードの装着を検出するステップと、上記検出するステップにおいて上記非接触ＩＣカードの装着が検出されると、装着された上記非接触ＩＣカードの種別を判定するステップと、上記判定するステップの判定結果に応じて検出された上記非接触ＩＣカードに記憶された電子バリューを上記記憶部に記録するステップと、上記外部装置から送信された所定のサービスに関連する通信要求を上記外部通信用アンテナが受信すると、上記記憶部に記憶された電子バリューの中から上記通信要求に対応する電子バリューを選択するステップと、上記選択するステップにおいて選択された上記電子バリューを用いて上記通信要求に対応する処理を行うステップと、上記処理を行うステップにおける処理結果に応じた応答信号を上記外部通信用アンテナを介して上記外部装置へ送信するステップとを有する通信方法が提供される。
【００３３】
かかる方法を用いることにより、同時に携帯される複数枚の非接触ＩＣカードそれぞれに記憶された電子バリューを一元的に記憶し、記憶した電子バリューを用いて外部装置と搬送波を用いた非接触通信を行うことができる。
【００３４】
また、上記目的を達成するために、本発明の第３の観点によれば、外部装置と非接触通信可能な複数の非接触ＩＣカードを収納可能な収納部と、上記外部装置と非接触通信を行うための外部通信用アンテナと、記憶部とを備える電子財布装置において用いることが可能なプログラムであって、上記収納部における非接触ＩＣカードの装着を検出するステップ、上記検出するステップにおいて上記非接触ＩＣカードの装着が検出されると、装着された上記非接触ＩＣカードの種別を判定するステップ、上記判定するステップの判定結果に応じて検出された上記非接触ＩＣカードに記憶された電子バリューを上記記憶部に記録するステップ、上記外部装置から送信された所定のサービスに関連する通信要求を上記外部通信用アンテナが受信すると、上記記憶部に記憶された電子バリューの中から上記通信要求に対応する電子バリューを選択するステップ、上記選択するステップにおいて選択された上記電子バリューを用いて上記通信要求に対応する処理を行うステップ、上記処理を行うステップにおける処理結果に応じた応答信号を上記外部通信用アンテナを介して上記外部装置へ送信するステップをコンピュータに実行させるためのプログラムが提供される。
【００３５】
かかるプログラムにより、同時に携帯される複数枚の非接触ＩＣカードそれぞれに記憶された電子バリューを一元的に記憶し、記憶した電子バリューを用いて外部装置と搬送波を用いた非接触通信を行うことができる。
【発明の効果】
【００３６】
本発明によれば、同時に携帯される複数枚の非接触ＩＣカードそれぞれに記憶された電子バリューを一元的に記憶し、記憶した電子バリューを用いて外部装置と搬送波を用いた非接触通信を行うことができる。
【発明を実施するための最良の形態】
【００３７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３８】
（本発明の実施形態に係る電子財布装置）
まず、本発明の実施形態に係る電子財布装置の外観について説明する。図１は、本発明の実施形態に係る電子財布装置１０の外観構成の一例を示す説明図である。
【００３９】
図１に示すように、電子財布装置１０は、例えば、ユーザが衣服のポケットやバッグなどに入れて携帯可能な大きさの電子機器とすることができる。電子財布装置１０は、複数の非接触ＩＣカード１Ａ、１Ｂ、１Ｃ（以下「非接触ＩＣカード１」と総称する場合もある。）を収納可能な収納ケースとして機能する。ユーザは、電子財布装置１０に複数枚の非接触ＩＣカード１を収納することで、当該複数枚の非接触ＩＣカード１をまとめて携帯することができる。
【００４０】
電子財布装置１０は、例えば、略直方体形状の筐体１０１と、複数の非接触ＩＣカード１を収納可能な収納部１０２と、ユーザ入力インターフェースとしての操作部１０３と、非接触ＩＣカード１を利用したサービスに関連する各種情報を表示する表示部１０４と、を備える。
【００４１】
収納部１０２は、例えば、筐体１０１の一側面に、相互に平行に並設された複数のスロット１０２Ａ、１０２Ｂ、１０２Ｃからなる。スロット１０２Ａ〜１０２Ｃに対して非接触ＩＣカード１Ａ〜１Ｃを挿抜する（着脱する）ことにより、電子財布装置１０内に非接触ＩＣカード１を着脱自在に内蔵することができる。
【００４２】
なお、図１に示す電子財布装置１０では、３枚の非接触ＩＣカード１Ａ〜１Ｃを収納できるように３つのスロット１０２Ａ〜１０２Ｃを備えているが、本発明の実施形態に係る電子財布装置は、上記に限られない。例えば、本発明の実施形態に係る電子財布装置は、１枚または２枚あるいは４枚以上の非接触ＩＣカードを収納することもできる。また、図１に示す電子財布装置１０では、３つのスロット１０２Ａ〜１０２Ｃを同一形状として示しているが、上記に限られない。例えば、本発明の実施形態に係る電子財布装置は、多様な形状、大きさの非接触ＩＣカードに対応するために、相異なる形状のスロットを設けてもよい。さらに、図１に示す電子財布装置１０では、一つのスロットに１枚の非接触ＩＣカードが挿入される例を示しているが、かかる構成に限られず、例えば、一つのスロットに複数枚の非接触ＩＣカードが挿入可能であってもよい。
【００４３】
[非接触ＩＣカード]
ここで、本発明の実施形態に係る非接触ＩＣカード１についてより詳細に説明する。非接触ＩＣカード１は、例えば、薄型のカード外装内にホスト装置のリーダ／ライタ（Ｒｅａｄｅｒ／Ｗｒｉｔｅｒ：データ読書装置）と非接触通信するためのアンテナと、所定の演算処理を実行可能なＩＣが搭載されたＩＣチップとを備えている（図３参照。）。ＩＣチップは、耐タンパ性を有することができ、例えば、電子マネーなどデータの改竄が問題となるデータの書き込み、更新などを安全に行うことができる。なお、本発明の実施形態に係る非接触ＩＣカードは、アンテナとＩＣチップとが別体として備えられる構成に限られず、例えば、ＩＣチップ内にアンテナが内蔵されてもよいし、または、アンテナとＩＣチップとを一体のパッケージとして備えることもできる。
【００４４】
非接触ＩＣカード１が備えるアンテナは、例えば、所定のインダクタンスをもつコイルおよび所定の静電容量をもつキャパシタを有して共振回路を構成することができる。非接触ＩＣカード１は、リーダ／ライタから送信される所定周波数の磁界（以下、「搬送波」という。）がアンテナを通過するときに電磁誘導により生じる誘起電圧の交流成分を復調することによりリーダ／ライタから送信されるデータを取り出し、また、誘起電圧の直流成分から電力を得て駆動することができる。
【００４５】
また、非接触ＩＣカード１は、負荷変調を行うことによりアンテナから搬送波に対する反磁界を発生させることにより、応答を行うことができる。リーダ／ライタは、負荷変調によって生じるリーダ／ライタからみた非接触ＩＣカード１のインピーダンスの変化を、非接触ＩＣカード１からの応答信号として検出することができる。
【００４６】
上述したように、リーダ／ライタと非接触ＩＣカード１とは、搬送波を用いることにより非接触通信を行うことができるので、例えば、ユーザが非接触ＩＣカードをリーダ／ライタにかざすだけで、リーダ／ライタ非接触ＩＣカード１間の通信が行われる（例えば、データの読み書きを行うことができる。）。非接触ＩＣカード１は、リーダ／ライタに対して抜き差しする必要がないため使い易く、迅速にデータを送受信でき、改造・変造しにくいため安全性が高く、データを書き換えることでカード自体を何度も再利用可能であるといった利便性を有する。
【００４７】
したがって、非接触ＩＣカード１を利用したサービスの提供が社会的に広がっており、各種のサービスを提供するＩＣカードシステムが稼動している。非接触ＩＣカード１を利用したＩＣカードシステムとしては、例えば、電子マネーシステム、交通機関の改札システム、高速道路の料金徴収システム、電子決済システム、建造物への入館・入室用やＰＣ（Personal  Computer）のログイン用などのセキュリティシステムなどがある。
【００４８】
ここで、非接触ＩＣカード１に記憶される情報は、経済的な価値を有する情報、すなわち電子バリューと、経済的な価値を有さない情報とに大きく分けることができる。
【００４９】
〔Ａ〕電子バリューを記憶する非接触ＩＣカード１の例
電子バリューを記憶する非接触ＩＣカード１としては、例えば、以下の（１）〜（５）が挙げられる。
【００５０】
（１）電子マネー、ポイント、クーポンなどのデータを記憶した電子マネーカード
（２）電車、バス、高速道路等の交通機関の定期券または指定券、プリペイド式の運賃のデータなどを記憶した交通機関カード
（３）各種の店舗や施設のポイントカード、クーポンカード
（４）映画館、コンサート会場、スポーツ競技場、アミューズメント施設などの電子チケットデータを記憶した電子チケットカード、
（５）インターネット上でのショッピングや、動画・音楽コンテンツの配信、有価証券・預金等の金融商品の売買などといった電子商取引に用いる電子決済カード
【００５１】
〔Ｂ〕電子バリュー以外の情報を記憶する非接触ＩＣカード１の例
また、電子バリュー以外の情報を記憶する非接触ＩＣカード１としては、例えば、以下の（６）、（７）が挙げられる。
【００５２】
（６）身分確認や、出退勤の管理、建造物への入退出時の鍵として使用される社員証、学生証などの身分証として用いられる個人認証用カード
（７）各種の店舗や施設を利用するための会員証カード
【００５３】
また、１枚の非接触ＩＣカード１で上記に挙げた複数の機能を併せ持ったマルチアプリケーションタイプのカードも開発されており、非接触ＩＣカード１の種類はますます多様化している。
【００５４】
電子財布装置１０は、例えば、図１に示すように、これら多種多様な非接触ＩＣカード１を複数枚収納できる構造を有している。これにより、ユーザは、複数枚の非接触ＩＣカード１を電子財布装置１０に収納した状態でまとめて携帯することができる。
【００５５】
以下では、本発明の実施形態に係る電子財布装置として、上記〔Ａ〕に示す非接触ＩＣカード１に記憶された電子バリューを一元的に管理し、管理している電子バリューを用いてリーダ／ライタ（外部装置）と通信を行う構成を示す。なお、本発明の実施形態に係る電子財布装置が、上記〔Ｂ〕に示す非接触ＩＣカード１を収納し、上記〔Ｂ〕に示す非接触ＩＣカード１に記憶された電子バリュー以外の情報を一元的に管理し、管理している情報を用いてリーダ／ライタ（外部装置）と通信を行うことができることは、言うまでもない。
【００５６】
[電子財布装置１０の使用形態の例]
図２は、本発明の実施形態に係る電子財布装置１０の使用形態の一例を示す説明図である。例えば、図２に示すように、ユーザは、複数枚の非接触ＩＣカード１を収納した状態の電子財布装置１０をそのまま、ホスト装置２０のリーダ／ライタ２１にかざすだけで、電子財布装置１０が適切な電子バリューを自動的に選択して、リーダ／ライタ２１と通信を行うことができる。このため、ユーザは、電子財布装置１０から、必要な非接触ＩＣカード１を取り出すことなく、非接触ＩＣカード１を用いた所望のサービスを享受できる。
【００５７】
〔１〕交通機関の改札
例えば、図２（ａ）に示すように、交通機関の改札において、ユーザが、複数枚の非接触ＩＣカード１を収納した電子財布装置１０を、交通機関の自動改札機（ホスト装置）２０Ａのリーダ／ライタ２１Ａにかざす。すると、電子財布装置１０が交通機関の乗車運賃に対応する電子バリューを選択的に用いることにより、電子財布装置１０とリーダ／ライタ２１Ａとの間で、交通機関の乗車運賃支払いに関する情報が送受信される。
【００５８】
〔２〕購買
また、図２（ｂ）に示すように、コンビニエンスストア、デパートなどの店舗において、ユーザが電子財布装置１０をレジスター装置（ホスト装置）２０Ｂのリーダ／ライタ２１Ｂにかざす。すると、電子財布装置１０が電子マネーに対応する電子バリューを選択的に用いることにより、電子財布装置１０とリーダ／ライタ２１Ｂとの間で、商品の代金支払いに関する情報が送受信される。
【００５９】
〔３〕電子商取引
また、図２（ｃ）に示すように、インターネット等に接続されたユーザ端末（ホスト装置；例えばＰＣ）２０Ｃを用いて電子商取引する際に、ユーザが、電子財布装置１０を、ユーザ端末２０Ｃのリーダ／ライタ２１Ｃにかざす。すると、電子財布装置１０が電子商取引サービスに対応する電子バリューを選択的に用いることにより、電子財布装置１０とリーダ／ライタ２１Ｃとの間で、電子商取引に関する情報が送受信される。
【００６０】
以上のように、電子財布装置１０をホスト装置２０のリーダ／ライタ２１の通信範囲内に位置づける（かざす）ことにより、電子財布装置１０はホスト装置２０が提供するサービスに応じた電子バリューを自動的に選択し、電子財布装置１０とホスト装置２０との間で所望のサービスに関する情報が送受信される。なお、図２では、電子財布装置１０の使用形態として、電子財布装置１０が、リーダ／ライタを介して自動改札機２０Ａ、レジスター装置２０Ｂ、ユーザ端末２０Ｃなどのホスト装置と通信を行う例を示したが、本発明の実施形態に係る電子財布装置の使用形態は、上記に限られない。例えば、電子財布装置１０は、各種の商品や乗車券などの自動販売機、ＰＯＳ（Point  Of  Sale）端末、キオスク端末（kiosk  terminal）、金融機関のＡＴＭ（Automatic  Teller  Machine）など、非接触ＩＣカードと非接触通信可能な任意のホスト装置と通信を行うことができる。
【００６１】
また、電子財布装置１０とリーダ／ライタ２１との間の通信は、例えば、１３．５６ＭＨｚの周波数帯を利用し２１２ｋｂｐｓの通信速度で行われる、副搬送波を使用しない「対称通信」とすることができる。また、電子財布装置１０とリーダ／ライタ２１との間の通信は、例えば、搬送波を変調することにより無線通信を実現する。ここで、変調方式としては例えば、ＡＳＫ変調（Amplitude  Shift  Keying）が挙げられ、また符号化方式としてはマンチェスター符号化方式を用いることができるが、上記に限られない。本発明の実施形態では、例えば、ホスト装置２０のリーダ／ライタ２１が電子財布装置１０に対して各種のコマンドを発行し、電子財布装置１０がこのコマンドに対して応答する方式で、トランザクションを繰り返し、所定のサービスに関する通信を行うことができる。
【００６２】
なお、本発明の実施形態に係る電子財布装置１０とホスト装置２０のリーダ／ライタ２１との間では、リーダ／ライタ２１を介して提供されるサービスに係る通信が行われるが、電子財布装置１０に収納される非接触ＩＣカード１は、非接触ＩＣカード１単体でホスト装置２０のリーダ／ライタ２１と通信を行うこともできる。そこで、本発明の実施形態に係る電子財布装置１０の構成について説明する前に、本発明の実施形態に係るホスト装置２０と、非接触ＩＣカード１との構成について説明する。
【００６３】
[ホスト装置２０および非接触ＩＣカード１の構成例]
図３は、本発明の実施形態に係るホスト装置２０と非接触ＩＣカード１との構成を説明するための説明図である。図３では、説明の便宜上、ホスト装置２０と非接触ＩＣカード１とが通信を行う構成を例として挙げて説明するが、図３に示すホスト装置２０は電子財布装置１０と同様に通信を行うことができ、また、電子財布装置１０は図３に示す非接触ＩＣカード１を例えば図１に示すように収納することができる。
【００６４】
〔ホスト装置２０の構成例〕
図３を参照すると、ホスト装置２０は、制御部２２、通信部２３と、アンテナ２４と、記憶部２５と、操作部２６と、外部インターフェース２７とを備える。ここで、図３に示すホスト装置２０では、例えば、制御部２２、通信部２３、およびアンテナ２４が、リーダ／ライタ２１を構成することができる。また、ホスト装置２０は、制御部２２が使用するプログラムや演算パラメータなどの制御用データが記録されたＲＯＭ（Read  Only  Memory；図示せず）、制御部２２により実行されるプログラムなどを一次記憶するＲＡＭ（Random  Access  Memory；図示せず）、表示部（図示せず）などを備えてもよい。ホスト装置２０は、例えば、データの伝送路としてのバス（bus）で各構成要素間を接続する。ここで、表示部（図示せず）としては、例えば、ＬＣＤ（Liquid  Crystal  Display；液晶ディスプレイ）、有機ＥＬディスプレイ（organic  ElectroLuminescence  display；または、ＯＬＥＤディスプレイ（Organic  Light  Emitting  Diode  display）とも呼ばれる。）などが挙げられるが、上記に限られない。
【００６５】
なお、図３では、ホスト装置２０がリーダ／ライタ２１を備える構成を示しているが、かかる構成に限られず、例えば、ホスト装置とリーダ／ライタとが別体に備えられてもよい。ここで、ホスト装置とリーダ／ライタとが別体に備えられる場合には、当該リーダ／ライタは、リーダ／ライタ全体を制御する制御部や、所定のサービスを提供するためのプログラム、演算パラメータなどの制御用データが記録された記憶部などを備えることができる。
【００６６】
制御部２２は、例えば、ＭＰＵ（Micro  Processing  Unit）などで構成され、ホスト装置２０全体を制御する。また、制御部２２は、例えば、記憶部２５に記憶されたプログラムに従って動作し、所定のサービスに関する演算処理や、コマンド生成、各種情報の送受信の制御などを実行することができる。これにより、リーダ／ライタ２１は、例えば、非接触ＩＣカード１に対するカード検出（ポーリング；polling）、相互認証、データの読み書きなどを実行することができる。
【００６７】
通信部２３は、制御部２２からの指示に基づき、アンテナ２４を用いて非接触ＩＣカード１との間で非接触通信を実行する。通信部２３は、例えば、ＡＳＫ変調を行う変調回路（図示せず）と、変調回路の出力を増幅する増幅回路（図示せず）で構成され、アンテナ２４から搬送波を送信させることができる。通信部２３は、例えば、上記構成により所定のサービスに関連するコマンドやデータに応じて変調を行い、当該コマンドやデータを非接触ＩＣカード１に送信する。
【００６８】
また、通信部２３は、例えば、アンテナ２４のアンテナ端における電圧の振幅変化を包絡線検波することによって、非接触ＩＣカード１からの応答信号を復調する。そして、通信部２３は、復調することにより取得される非接触ＩＣカード１から送信されたコマンドやデータを制御部２２に出力することができる。なお、通信部２３における応答信号の復調手段は、上記に限られず、例えば、アンテナ２４のアンテナ端における電圧の位相変化を用いて応答信号を復調することもできる。
【００６９】
アンテナ２４は、非接触ＩＣカード１と通信するための通信アンテナである。アンテナ２４は、例えば、所定のインダクタンスをもつコイルおよび所定の静電容量をもつキャパシタを有し、所定の周波数（例えば、１３．５６ＭＨｚ）で共振させる共振回路を構成する。
【００７０】
記憶部２５は、ホスト装置２０が備える記憶手段であり、各種の情報を記憶することができる。ここで、記憶部２５に記憶される情報としては、例えば、所定のサービスを提供するために制御部２２を動作させるためのプログラム（アプリケーションプログラム）、リーダ／ライタ２１が対応するサービスを表すコード（例えば、サービスコード、システムコードなど）、非接触ＩＣカード１から取得したデータ、制御部２２により演算されたデータ、操作部２６や外部インターフェース２７からの入力データなどが挙げられるが、上記に限られない。また、記憶部２５としては、例えば、ハードディスク（Hard  Disk）などの磁気記録媒体や、ＥＥＰＲＯＭ（Electronically  Erasable  and  Programmable  Read  Only  Memory）、フラッシュメモリ、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。
【００７１】
操作部２６は、ユーザによる所定の操作を可能とするホスト装置２０の操作手段であり、例えば、記憶部２５に記憶された特定のアプリケーションプログラムを起動させるなど、ユーザがホスト装置２０に所望する動作をさせることができる。ここで、操作部２６としては、例えば、キーボードやマウスなどの操作入力デバイス、ボタン、方向キー、あるいは、これらの組み合わせなどが挙げられるが、上記に限られない。なお、操作部２６は、例えば、タッチスクリーン（touch  screen）のように表示部（図示せず）と一体の部とすることもできる。
【００７２】
外部インタフェース２７（外部ＩＦ２７）は、外部装置（図示せず）と接続して情報を送受信するためのインタフェースである。ここで、ホスト装置２０と外部装置（図示せず）とは、例えば、ＵＳＢ（Universal  Serial  Bus）端子やＩＥＥＥ１３９４規格の端子などを介して物理的に接続されてもよいし、また、ＷＵＳＢ（Wireless  Universal  Serial  Bus）やＩＥＥＥ８０２．１１などを利用して無線で接続することもできる。さらに、外部装置（図示せず）とホスト装置２０とは、例えば、ネットワークを介して接続することもできる。ここで、ネットワークとしては、例えば、ＬＡＮ（Local  Area  Network）やＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネット（Internet）などが挙げられるが、上記に限られない。したがって、外部インタフェース２７は、外部装置（図示せず）との接続形態に応じたインタフェースとすることができる。
【００７３】
〔非接触ＩＣカード１の構成例〕
次に、非接触ＩＣカード１の構成例について説明する。非接触ＩＣカード１は、制御部１２と、通信部１３と、アンテナ１４と、記憶部１５を備えることができる。ここで、制御部１２、通信部１３、および記憶部１５は、例えば、ＩＣチップに搭載することができるが、本発明の実施形態に係る非接触ＩＣカードは、かかる構成に限られない。例えば、本発明の実施形態に係る非接触ＩＣカードは、制御部、通信部、アンテナ、および記憶部をＩＣチップで実現することもできる。
【００７４】
制御部１２は、例えば、ＭＰＵなどで構成され、非接触ＩＣカード１全体を制御する。また、制御部１２は、例えば、記憶部１５に記憶されたアプリケーションプログラムなどのプログラムを実行し、当該プログラムの実行に応じた所定の演算処理や、コマンド生成、各種情報の送受信の制御などを行うことができる。さらに、制御部１２は、リーダ／ライタ２１から送信される各種要求（例えば、データの読み出し要求や書き込み要求）に応じて、サービスに関するデータ（以下、「サービスデータ」という。）に係る処理を行う。ここで、サービスデータに係る処理としては、例えば、記憶部１５からのサービスデータの読み出し処理や、リーダ／ライタ２１から送信されるサービスデータを記憶部１５へと書き込む書き込み処理などが挙げられるが、上記に限られない。なお、本発明の実施形態に係るサービスデータは、電子バリューに対応する。
【００７５】
通信部１３は、リーダ／ライタ２１から送信される搬送波がアンテナ１４を通過するときに生じる誘起電圧の交流成分を復調することによりリーダ／ライタから送信されるデータを取り出し、また、誘起電圧の直流成分から電力を得る。
【００７６】
また、通信部１３は、例えば、制御部１２からの指示（例えば、制御部１２において行われる各種処理の処理結果に応じた指示）に基づいて負荷変調を行い、アンテナ１４を介してリーダ／ライタ２１への応答などの通信を行うことができる。
【００７７】
通信部１３は、例えば、検波回路、クロック抽出回路、復調回路、レギュレータ（Regulator）、負荷変調回路などを備える。検波回路は、誘起電圧を整流し、クロック抽出回路は、誘起電圧からクロックを抽出する。また、復調回路は、誘起電圧に基づいて復調を行いリーダ／ライタ２１から送信されるコマンドやサービスデータを取り出し、レギュレータは、誘起電圧を平滑、定電圧化する。負荷変調回路は、例えば、所定の抵抗値をもつ抵抗とトランジスタで構成され、制御部１２からの指示に基づいてスイッチングを行うことによって、リーダ／ライタ２１からみた非接触ＩＣカード１のインピーダンスを変化させる。
【００７８】
記憶部１５は、非接触ＩＣカード１が備える記憶手段であり、各種の情報を記憶する。ここで、記憶部１５に記憶される情報としては、例えば、制御部１２が実行するアプリケーションプログラム、非接触ＩＣカード１を一意に識別するためのカードＩＤ、非接触ＩＣカード１が対応するサービスを表すサービスを表すコード（サービスコード、システムコードなど）、リーダ／ライタ２１から取得したデータや、制御部１２により演算されたデータなどからなるサービスデータが挙げられるが、上記に限られない。また、記憶部１５としては、例えば、ＥＥＰＲＯＭやフラッシュメモリなどの不揮発性メモリが挙げられるが、上記に限られない。
【００７９】
なお、非接触ＩＣカード１が複数のサービスに対応したマルチアプリケーションカードである場合、記憶部１５には、例えば、当該各サービスに対応する複数種類のコード、アプリケーションプログラムおよびサービスデータなどが格納される。
【００８０】
図３に示すような構成によって、ホスト装置２０のリーダ／ライタ２１と非接触ＩＣカード１とが非接触通信を行うことにより、ＩＣカードシステムは、非接触ＩＣカード１を用いた各種のサービスをユーザに提供することができる。
【００８１】
[電子財布装置１０の構成例：概略]
次に、本発明の実施形態に係る電子財布装置１０の構成について説明する。図４は、本発明の実施形態に係る電子財布装置１０の概略的な構成例を示すブロック図である。
【００８２】
図４を参照すると、電子財布装置１０は、筐体１０１と、収納部１０２と、操作部１０３と、表示部１０４と、制御部１０５と、記憶部１０６と、セレクタ１０７と、カード通信用アンテナ１０８Ａ〜１０８Ｃと、シールド１０９と、外部通信用アンテナ１１０と、送受信回路１１１と、通信部１１２を備える。また、電子財布装置１０は、操作部１０３や、表示部１０４、制御部１０５、記憶部１０６などの各部に電源を供給することが可能な、例えば、バッテリーなどの内部電源（図示せず）を備えることができる。
【００８３】
電子財布装置１０の筐体１０１内には、複数の非接触ＩＣカード１を収納するための収納部１０２が設けられている。収納部１０２は、例えば、図１に示す複数のスロット１０２Ａ〜１０２Ｃからなり、筐体１０１に形成されたカード挿入口から挿入された複数枚（図４では例えば３枚）の非接触ＩＣカード１Ａ〜１Ｃを安定的に保持することができる。また、図４に示すように、収納部１０２は、各非接触ＩＣカード１に対応する収納エリア（つまり、スロット１０２Ａ〜１０２Ｃ）に区分されており、各収納エリアには、カード通信用アンテナ１０８Ａ〜１０８Ｃ（以下「カード通信用アンテナ１０８」と総称する場合もある。）がそれぞれ配設されている。なお、図４では、３枚の非接触カード１が収納部１０２に収納された例を示しているが、本発明の実施形態に係る電子財布装置は、図４に示す例に限られず、例えば、非接触ＩＣカード１を収納しない状態とすることもできるし、１枚、または２枚、あるいは、４枚以上の非接触ＩＣカード１を収納することもできる。
【００８４】
図５は、本発明の実施形態に係る収納部１０２の構成例を示す説明図である。図５は、収納部１０２のうちの一部（スロット１０２Ａに対応する部分）を示している。
【００８５】
（Ａ）第１の構成例
図５（ａ）は、収納部１０２の第１の構成例を示す説明図である。図５（ａ）に示すように、収納部１０２は、例えば、矩形に形成され、１枚の非接触ＩＣカード１を収納することができる。
【００８６】
（Ｂ）第２の構成例
図５（ｂ）は、収納部１０２の第２の構成例を示す説明図である。図５（ｂ）に示すように、収納部１０２は、図５（ａ）に示す矩形に限られず、非接触ＩＣカード１を収納可能な任意の形状をとることができる。収納部１０２の形状が矩形に限定されないことによって、例えば、電子財布装置１０の筐体１０１の形状に合わせて収納部１０２の形状を設定することもできる。したがって、電子財布装置１０は、例えば、多様な形状を有することができる。
【００８７】
（Ｃ）第３の構成例
図５（ｃ）は、収納部１０２の第３の構成例を示す説明図である。図５（ｃ）に示すように、収納部１０２は、例えば、複数枚（図５（ｃ）では、１Ａ１〜１Ａ３の３枚を示している。）の非接触ＩＣカード１を収納することができる。ここで、第３の構成例に係る収納部１０２は、複数枚の非接触ＩＣカード１を安定的に保持するために、例えば、複数枚の非接触ＩＣカード１それぞれを一定間隔に保持するスペーサー（図示せず）を備えてもよい。
【００８８】
収納部１０２は、例えば、上記（Ａ）〜（Ｃ）に示す構成を有することにより、１枚または複数枚の非接触ＩＣカード１を安定的に保持することができる。なお、本発明の実施形態に係る収納部１０２の構成が、上記（Ａ）〜（Ｃ）に示す構成に限られないことは、言うまでもない。
【００８９】
再度図４を参照して電子財布装置１０の各構成要素について説明する。カード通信用アンテナ１０８は、収納部１０２に収納された各々の非接触ＩＣカード１と非接触通信を行うための通信アンテナである。カード通信用アンテナ１０８は、例えば、所定のインダクタンスをもつコイルおよび所定の静電容量をもつキャパシタを有する共振回路で構成することができる。カード通信用アンテナ１０８は、例えば、収納部１０２の各スロット１０２ごとに設けられ、各非接触ＩＣカード１に対して対向配置される。したがって、各カード通信用アンテナ１０８は、収納部１０２内に収納された各非接触ＩＣカード１と、個別に非接触通信することができる。
【００９０】
また、収納部１０２には、収納された複数の非接触ＩＣカード１の間を分断するように、シールド１０９を設けることができる。シールド１０９は、例えば、電磁波を遮断する材質で形成されており、収納部１０２内に収納された各非接触ＩＣカード１を、個別に取り囲むような形状となっている。シールド１０９により、収納部１０２内に収納された複数枚の非接触ＩＣカード１間を電磁的に隔離して、相互干渉しないようにすることができる。したがって、隣接する複数枚の非接触ＩＣカード１のアンテナコイルが互いに磁気結合することを防止でき、他の非接触ＩＣカード１の電磁誘導等による影響を排除できる。
【００９１】
以上のように、収納部１０２では、複数枚の非接触ＩＣカード１にそれぞれ対応する複数のカード通信用アンテナ１０８が設置され、複数枚の非接触ＩＣカード１を相互に電磁的に遮断するシールド１０９が設けられている。これにより、アンチコリジョン非対応の複数枚の非接触ＩＣカード１が収納部１０２に収納される場合であっても、各非接触ＩＣカード１が個別に電子財布装置１０と通信可能となる。ここで、アンチコリジョンとは、搬送波を用いた非接触通信において複数の非接触ＩＣカードが通信範囲内に存在する場合にそれぞれのカードを個別に処理する方法のことであり、例えば、タイムスロット方式、スロットマーカー方式などが知られている。なお、本発明の実施形態に係る電子財布装置１０は、かかる構成に限られず、例えば、アンチコリジョン対応の非接触ＩＣカード１のみを収納する場合には、全ての非接触ＩＣカード１で共通のカード通信用アンテナ１０８を１つだけ設置し、シールド１０９を設けないようにすることもできる。
【００９２】
操作部１０３は、ユーザによる所定の操作を可能とする電子財布装置１０の操作手段であり、例えば、ボタン、レバーなどで構成される。ユーザは、操作部１０３を操作することにより、例えば、電子財布装置１０に対して動作内容を指示したり、データ入力を行うことができる。
【００９３】
表示部１０４は、電子財布装置１０が備える表示手段であり、例えば、非接触ＩＣカード１を利用したサービスに関連する各種の情報や、記憶部１０６に記憶された電子バリューの情報を表示することができる。例えば、表示部１０４は、収納部１０２に収納された非接触ＩＣカード１の種類や、電子マネーの残額などの電子バリューの情報を表示することができる。ここで、表示部１０４としては、例えば、ＬＣＤ、有機ＥＬディスプレイなどが挙げられるが、上記に限られない。また、操作部１０３と表示部１０４とは、例えば、タッチスクリーンのように一体の部とすることもできる。
【００９４】
制御部１０５は、例えば、ＭＰＵなどを備え、電子財布装置１０全体を制御する。また、制御部１０５は、例えば、記憶部１０６に記憶されたアプリケーションプログラムなどのプログラムを実行し、当該プログラムの実行に応じた所定の演算処理や、コマンド生成、各種情報の送受信の制御などを行うことができる。
【００９５】
また、制御部１０５は、収納部１０２に収納されている非接触ＩＣカード１それぞれから、非接触ＩＣカード１に記憶された電子バリュー（サービスデータ）を取得し、記憶部１０６に記録することができる。ここで、制御部１０５は、例えば、非接触ＩＣカード１に記憶された電子バリューそのものを記憶部１０６に記録することができ、または、電子バリューの経済的な価値を示す値（以下、「バリュー値」という。）を記憶部１０６に記録することもできる。ここで、バリュー値としては、例えば、電子マネーの金額に相当する値、電子チケットの使用の有無を示す値および期限情報などが挙げられるが、上記に限られない。
【００９６】
また、制御部１０５は、記憶部１０６に記憶された電子バリューを用いて、リーダ／ライタ２１から送信される所定のサービスに関連する通信要求（各種処理要求）やデータに応じたデータ処理を行い、処理結果に応じて記憶部１０６に記憶された電子バリューを更新する。さらに、制御部１０５は、データ処理の処理結果に応じた応答信号をリーダ／ライタ２１へ送信させる。
【００９７】
さらに、制御部１０５は、記憶部１０６に記憶された電子バリューを選択的に収納部１０２に収納されている非接触ＩＣカード１に書き戻すことができる。制御部１０５の詳細については後述する。
【００９８】
記憶部１０６は、電子財布装置１０が備える記憶手段であり、各種の情報を記憶する。ここで、記憶部１０６に記憶される情報としては、例えば、制御部１０５が実行するアプリケーションプログラムや、各種サービスに対応する１または２以上の電子バリュー、リーダ／ライタ２１から取得したデータなどが挙げられるが、上記に限られない。また、記憶部１０６としては、例えば、ＥＥＰＲＯＭやフラッシュメモリなどの不揮発性メモリが挙げられるが、上記に限られない。
【００９９】
セレクタ１０７は、切り替え回路を備え、制御部１０５と、カード通信用アンテナ１０８とに接続され、制御部１０５と各非接触ＩＣカード１に対応するカード通信用アンテナ１０８とを接続する。また、セレクタ１０７は、さらに非接触ＩＣカード１と非接触通信を行うための通信回路を備える。ここで、通信回路は、例えば、制御部１０５から伝達される信号に基づいてＡＳＫ変調する変調回路（図示せず）と、変調回路の出力を増幅する増幅回路（図示せず）と、非接触ＩＣカード１からの応答を復調する復調回路で構成することができる。なお、本発明の実施形態に係る電子財布装置は、上記通信回路をセレクタ１０７が備える構成に限られず、例えば、制御部１０５が上記通信回路を備えることもできる。
【０１００】
外部通信用アンテナ１１０は、電子財布装置１０がホスト装置２０のリーダ／ライタ２１などの外部装置と非接触通信を行うための通信アンテナである。外部通信用アンテナ１１０は、例えば、所定のインダクタンスをもつコイルおよび所定の静電容量をもつキャパシタを有する共振回路で構成することができる。
【０１０１】
外部通信用アンテナ１１０は、送受信回路１１１と接続され、電磁誘導によりリーダ／ライタ２１から送信される搬送波に応じた誘起電圧を発生させて送受信回路１１１へ伝達する。また、外部通信用アンテナ１１０は、例えば、送受信回路１１１における負荷変調に応じて搬送波に対する反磁界を発生させて応答信号を送信する。
【０１０２】
送受信回路１１１は、例えば、リーダ／ライタ２１から送信される搬送波によって外部通信用アンテナ１１０に生じた誘起電圧に基づいて復調を行う復調回路と、負荷変調を行う負荷変調回路とを備える。電子財布装置１０は、送受信回路１１１を備えることにより、リーダ／ライタ２１から送信される通信要求や各種処理要求、データなどを復調し、また、リーダ／ライタ２１への応答を行うことができる。
【０１０３】
通信部１１２は、電子財布装置１０が備える他の通信手段であり、１または２以上の外部装置（図示せず）と通信を行う。ここで、電子財布装置１０と外部装置（図示せず）とは、例えば、ＵＳＢ端子やＩＥＥＥ１３９４規格の端子などを介して物理的に接続されてもよいし、また、ＷＵＳＢやＩＥＥＥ８０２．１１などを利用して無線で接続することもできる。さらに、外部装置（図示せず）と電子財布装置１０とは、例えば、ネットワークを介して接続することもできる。ここで、ネットワークとしては、例えば、ＬＡＮやＷＡＮなど有線ネットワーク、ＭＩＭＯを用いたＷＬＡＮなどの無線ネットワーク、あるいは、インターネットなどが挙げられるが、上記に限られない。また、電子財布装置１０と外部装置（図示せず）とは、基地局を介して接続されてもよい。したがって、通信部１１２は、外部装置（図示せず）との接続形態に応じて、例えば、基地局と通信を行うための無線通信アンテナを有するＲＦ（Radio  Frequency）回路や、ＬＡＮ端子やＵＳＢ端子などの接続端子などで構成することができる。
【０１０４】
電子財布装置１０が通信部１１２を備えることによって、例えば、制御部１０５が使用するアプリケーションプログラムや、機能追加や修正のためのアップデートプログラム、電子バリュー、あるいは、電子バリューのバリュー値などを外部装置から取得することができる。
【０１０５】
本発明の実施形態に係る電子財布装置１０は、例えば、図４に示すような構成によって、同時に携帯される複数枚の非接触ＩＣカードそれぞれに記憶された電子バリューを一元的に記憶し、記憶した電子バリューを用いて外部装置と搬送波を用いた非接触通信を行うことができる。
【０１０６】
例えば、電子財布装置１０は、収納部１０２に収納された複数の非接触ＩＣカード１に記憶されていた小額の電子マネーを合計した額分の電子マネーを記憶部１０６に記憶し、リーダ／ライタ２１との間で記憶部１０６に一元的に記憶された電子マネーを用いて購買サービスに係る通信を行うことが可能である。したがって、電子財布装置１０は、複数の非接触ＩＣカードそれぞれに記憶された電子マネーをそれぞれ使用する従来の場合と比較して、ユーザに対してより高い利便性を提供することができる。
【０１０７】
次に、制御部１０５の構成や電子バリューの一元管理など、電子財布装置１０についてより詳細に説明する。
【０１０８】
[電子財布装置１０の構成例：詳細]
図６は、本発明の実施形態に係る電子財布装置１０の構成例を示すブロック図である。なお、図６は、図４に示す電子財布装置１０を示しているが、図４に示した一部の構成要素については、簡略化して示し、または図示していない。また、以下では、図４を参照して説明した構成要素については、説明を省略する。
【０１０９】
図６を参照すると、制御部１０５は、カード認識部１２０と、カード内部情報記録部１２２と、電子バリュー管理部１２４と、データ処理部１２６と、カード内部情報書き戻し部１２８とを備える。
【０１１０】
また、記憶部１０６は、電子バリュー１５０を記憶することができる。なお、図６では、記憶部１０６に電子バリュー１５０のみが示されているが、上述したように記憶部１０６は、例えば、制御部１０５が実行するアプリケーションプログラムやリーダ／ライタ２１から取得したデータなど様々なデータを記憶することができる。
【０１１１】
〔電子バリューの管理方法〕
ここで、電子財布装置１０における電子バリューの管理方法について説明する。電子財布装置１０における電子バリューの管理は、制御部１０５が行う。なお、以下では、電子バリューとして、電子マネーやポイントなどバリュー値が数値で表される電子バリューを例として説明するが、本発明の実施形態に係る電子バリューが、バリュー値が数値で表されるものに限られないことは、言うまでもない。また、以下では、収納部１０２に収納された非接触ＩＣカード１Ａに記憶された電子バリュー（図６のサービスデータに対応）を記憶部１０６に書き込む場合を例に挙げて説明する。
【０１１２】
（Ｉ）第１の管理方法
図７は、本発明の実施形態に係る電子財布装置１０における電子バリューの第１の管理方法を示す説明図である。ここで、図７（ａ）は、非接触ＩＣカード１Ａに記憶された電子バリューを記憶部１０６に書き込む前の状態を示しており、また、図７（ｂ）は、非接触ＩＣカード１Ａに記憶された電子バリューが記憶部１０６に書き込まれた後の状態を示している。
【０１１３】
図７（ａ）を参照すると、記憶部１０６にはサービスＡに対応する電子バリューＡ１５２、サービスＢに対応する電子バリューＢ１５４、サービスＣに対応する電子バリューＣ１５６、およびサービスＤに対応する電子バリューＤが記憶されている。また、非接触ＩＣカード１ＡにはサービスＤに対応する電子バリューＤ１６０が記憶されている。
【０１１４】
制御部１０５は、非接触ＩＣカード１Ａに記憶された電子バリューＤ１６０を読み出して、読み出した電子バリューに対応するサービスの電子バリューが記憶部１０６にあるかを判定する。図７（ａ）では記憶部１０６にサービスＤに対応する電子バリューＤ１５８が記憶されているので、制御部１０５は、電子バリューＤ１６０のバリュー値を電子バリューＤ１５８に書き込む。具体的には、制御部１０５は、電子バリューＤ１６０のバリュー値「５００Ｐ」を電子バリューＤ１５８に移動させる。ここで、バリュー値の移動とは、移動元の電子バリューのバリュー値を移動先の電子バリューのバリュー値に加算し、移動元の電子バリューのバリュー値を当該加算分減算することをいう。
【０１１５】
したがって、書き込み処理後は、図７（ｂ）に示すように、電子バリューＤ１５８のバリュー値が「１０００Ｐ」から「１５００Ｐ」へと増加し、電子バリューＤ１６０のバリュー値は「５００Ｐ」から「０Ｐ」へと減少した状態となる。すなわち、記憶部１０６に記憶された電子バリューＤ１５８のバリュー値と非接触ＩＣカード１Ａに記憶された電子バリューＤ１６０のバリュー値との総和は変化しない。
【０１１６】
図７に示すように、第１の管理方法では、記憶部１０６にはサービスごとに電子バリューが記憶され、それぞれのバリュー値はそれぞれ独立に記憶される。
【０１１７】
（ＩＩ）第２の管理方法
図８は、本発明の実施形態に係る電子財布装置１０における電子バリューの第２の管理方法を示す説明図である。ここで、図８（ａ）は、非接触ＩＣカード１Ａに記憶された電子バリューを記憶部１０６に書き込む前の状態を示しており、また、図８（ｂ）は、非接触ＩＣカード１Ａに記憶された電子バリューが記憶部１０６に書き込まれた後の状態を示している。
【０１１８】
図８（ａ）を参照すると、記憶部１０６にはサービスＡに対応する電子バリューＡ１５２、サービスＢに対応する電子バリューＢ１５４、サービスＣおよびサービスＤに対応する電子バリューＣＤ１６２が記憶されている。また、非接触ＩＣカード１ＡにはサービスＤに対応する電子バリューＤ１６０が記憶されている。ここで、サービスＣとサービスＤとは、例えば、発行元が同一の電子マネーを利用するサービスであったり、相互にそれぞれのポイントを利用することが可能なサービスなど、電子バリューの相互利用が可能な関連するサービスを示している。
【０１１９】
制御部１０５は、非接触ＩＣカード１Ａに記憶された電子バリューＤ１６０を読み出して、読み出した電子バリューに対応するサービスの電子バリューが記憶部１０６にあるかを判定する。図８（ａ）では記憶部１０６にサービスＤに対応する電子バリューＣＤ１６２が記憶されているので、制御部１０５は、電子バリューＤ１６０のバリュー値を電子バリューＣＤ１６２に書き込む。具体的には、制御部１０５は、第１の管理方法と同様に、電子バリューＤ１６０のバリュー値「５００Ｐ」を電子バリューＣＤ１６２に移動させる。
【０１２０】
したがって、書き込み処理後は、図８（ｂ）に示すように、電子バリューＣＤ１６２のバリュー値が「１１００Ｐ」から「１６００Ｐ」へと増加し、電子バリューＤ１６０のバリュー値は「５００Ｐ」から「０Ｐ」へと減少した状態となる。
【０１２１】
図８に示すように、第２の管理方法では、記憶部１０６には基本的にサービスごとに電子バリューが記憶されるが、関連するサービスの電子バリューは一つの電子バリューとして記憶される。また、電子バリューのバリュー値は、記憶された電子バリューごとにそれぞれ独立に記憶される。
【０１２２】
なお、上記では、第２の管理方法として、電子バリューを相互に利用することが可能な関連するサービスの電子バリューを一つの電子バリューとして記憶することを示したが、第２の管理方法は上記に限られない。例えば、第２の管理方法は、サービスごとに電子バリューは異なるが、一の電子バリューを他のサービスの電子バリューへと交換することが可能な電子バリューを、一つの電子バリュー（例えば、当該他の電子バリューとして記憶する。）として管理することもできる。
【０１２３】
（ＩＩＩ）第３の管理方法
上記第１、第２の管理方法では、電子バリューがサービス単位に管理されることを示した。しかしながら、本発明の実施形態に係る電子財布は、電子バリューがサービス単位に管理されることに限られず、電子バリューの種別単位に管理することもできる。そこで次に、本発明の実施形態に係る第３の管理方法として、電子バリューのうち電子マネーを通貨ごとにまとめて管理する方法を示す。
【０１２４】
図９は、本発明の実施形態に係る電子財布装置１０における電子バリューの第３の管理方法を示す説明図である。ここで、図９（ａ）は、非接触ＩＣカード１Ａに記憶された電子バリューを記憶部１０６に書き込む前の状態を示しており、また、図９（ｂ）は、非接触ＩＣカード１Ａに記憶された電子バリューが記憶部１０６に書き込まれた後の状態を示している。
【０１２５】
図９（ａ）を参照すると、記憶部１０６には所定の通貨の電子マネーを示す共有電子バリュー１６４が記憶され、非接触ＩＣカード１Ａには当該所定の通貨の電子マネーを示す電子バリュー１６６が記憶されている。ここで、電子マネーにおける所定の通貨としては、例えば、サービスを提供する会社が発行するいわゆる私製の貨幣が挙げられるが、国家が発行してその価値を保証する公的な貨幣であってもよい。
【０１２６】
制御部１０５は、非接触ＩＣカード１Ａに記憶された電子バリュー１６６を読み出して、読み出した電子バリューに対応する電子バリューが記憶部１０６にあるかを判定する。図９（ａ）では記憶部１０６に電子バリュー１６６と対応する共有電子バリュー１６４が記憶されているので、制御部１０５は、電子バリュー１６６のバリュー値を共有電子バリュー１６４に書き込む。具体的には、制御部１０５は、第１の管理方法と同様に、電子バリュー１６６のバリュー値「５００Ｐ」を共有電子バリュー１６４に移動させる。
【０１２７】
したがって、書き込み処理後は、図９（ｂ）に示すように、共有電子バリュー１６４のバリュー値が「７６００Ｐ」から「８１００Ｐ」へと増加し、電子バリュー１６６のバリュー値は「５００Ｐ」から「０Ｐ」へと減少した状態となる。
【０１２８】
図９に示すように、第３の管理方法では、電子バリューのうち電子マネーが通貨ごとに管理され、所定の通貨の電子マネーのバリュー値は一つの電子バリューのバリュー値として記憶される。なお、図９では、一つの共有電子バリュー１６４が記憶部１０６に記憶されている示しているが、本発明の実施形態に係る電子財布装置が、複数の共有電子バリュー（すなわち、通貨が異なる複数の電子マネー）をそれぞれ記憶部１０６に記憶させることができることは、言うまでもない。
【０１２９】
電子財布装置１０は、例えば、上記（Ｉ）〜（ＩＩＩ）に示す方法を用いることにより、電子バリューを一元的に管理することができる。
【０１３０】
なお、上記では、バリュー値が数値で表される電子バリューを例に挙げて説明したが、例えば、電子チケットなどバリュー値が単純に数値で表されない電子バリューを管理することもできる。ここで、電子財布装置１０は、例えば、電子チケットなどを上記（Ｉ）に示すようにサービス単位に管理することができるが、上記に限られない。
【０１３１】
再度、図６を参照して電子財布装置１０の構成要素について説明する。カード認識部１２０は、電子財布装置１０の収納部１０２に収納された非接触ＩＣカード１を認識する。具体的には、カード認識部１２０は、例えば、収納部１０２の各スロット１０２Ａ〜１０２Ｃに非接触ＩＣカード１Ａ〜１Ｃが挿入されたことを検知することによって、各スロット１０２Ａ〜１０２Ｃに非接触ＩＣカード１が収納されているか否かを認識することができる。ここでカード認識部１２０における検知は、例えば、収納部１０２のスロット１０２Ａ〜１０２Ｃが挿入に応じて検出信号を出力するカード挿入検出センサをそれぞれ備え、カード認識部１２０が収納部１０２から伝達される検出信号を検出することによって行うことができるが、上記に限られない。
【０１３２】
カード認識部１２０は、非接触ＩＣカード１の挿入が検出されると、検出された非接触ＩＣカード１が、電子財布装置１０が対応する非接触ＩＣカードであるかを判定する。ここで、電子財布装置１０が対応する非接触ＩＣカードとは、電子財布装置１０が対応するサービスを受けることが可能な非接触ＩＣカードをいう。また、上記判定は、検出された非接触ＩＣカード１に記憶された電子バリュー（図６のサービスデータに対応）が電子財布装置１０が使用可能な電子バリュー（外部装置との間の通信において使用可能な電子バリュー）であるかの判定として捉えることができる。したがって、電子財布装置１０は、カード認識部１２０を備えることにより、外部装置との間の通信において使用可能な電子バリューを選択的に記憶することができる。カード認識部１２０は、例えば、検出された非接触ＩＣカード１のシステムコードを用い、当該システムコードに対応する電子バリューを処理するためのプログラムが記憶部１０６に記憶されているかにより上記判定を行うことができるが、上記に限られない。
【０１３３】
また、カード認識部１２０は、検出された非接触ＩＣカード１が電子財布装置１０に対応する非接触ＩＣカードではないと判定した場合には、通信部１１２を用いて外部装置（図示せず）と通信を行い、検出された非接触ＩＣカード１のシステムコードに対応する対応プログラムの取得を行うこともできる。カード認識部１２０が通信部１１２を用いて対応プログラムの取得を行うことによって、電子財布装置１０の汎用性をより高めることができる。
【０１３４】
カード認識部１２０は、検出された非接触ＩＣカード１が電子財布装置１０に対応する非接触ＩＣカードであると判定した場合には、検出された非接触ＩＣカード１に記憶された電子バリューを読み出してカード内部情報記録部１２２に伝達する。
【０１３５】
カード内部情報記録部１２２は、カード認識部１２０が読み出した電子バリューを記憶部１０６に記録する。カード内部情報記録部１２２は、例えば上記（Ｉ）〜（ＩＩＩ）に示した第１〜第３の管理方法に基づいて、電子バリューを記憶部１０６に記録する。ここで、カード内部情報記録部１２２が記録に用いる管理方法は、後述する電子バリュー管理部１２４によって管理される。
【０１３６】
また、カード内部情報記録部１２２は、電子バリューの記録と併せて、記憶部１０６に記録した電子バリューと、当該電子バリューが読み出された非接触ＩＣカード１が収納される場所（スロット１０２Ａ〜１０２Ｃ）とを対応付ける対応情報を記憶部１０６に記録することもできる。ここで、カード内部情報記録部１２２は、例えば、ＤＢ（DataBase）形式で上記対応情報を記録することができるが、上記に限られず、ファイル形式であってもよい。
【０１３７】
〔電子バリューの記録方法〕
ここで、本発明の実施形態に係る電子バリューの記録方法について説明する。図１０は、本発明の実施形態に係る電子バリューの記録方法の一例を示す流れ図である。なお、図１０では、電子バリューとして、電子マネーやポイントなどバリュー値が数値で表される電子バリューを例として説明する。
【０１３８】
電子財布装置１０は、収納部１０２に挿入された非接触ＩＣカードを検出する（Ｓ１００）。ステップＳ１００における検出は、例えば、カード認識部１２０が、収納部１０２のスロット１０２Ａ〜１０２Ｃがそれぞれ備えるカード挿入検出センサの検出信号を検出することによって行うことができるが、上記に限られない。
【０１３９】
ステップＳ１００において非接触ＩＣカードが検出されると、電子財布装置１０は、検出された非接触ＩＣカード１のシステムコードを確認する（Ｓ１０２）。そして、電子財布装置１０は、ステップＳ１０２において確認したシステムコードに基づいて、ステップＳ１００において検出された非接触ＩＣカードが電子財布装置１０に対応する非接触ＩＣカードであるか否かを判定する（Ｓ１０４）。
【０１４０】
ステップＳ１０４において電子財布装置１０に対応する非接触ＩＣカードではないと判定された場合には、電子財布装置１０は、対応プログラムを入手可能であるか否かを判定する（Ｓ１０６）。ここで、ステップＳ１０６における判定は、例えば、制御部１０５が通信部１１２を用いて外部装置と通信を行うことによって行われる。
【０１４１】
ステップＳ１０６において対応プログラムを入手可能であると判定された場合には、電子財布装置１０は、外部装置からプログラムをダウンロードして適用する（Ｓ１０８）。ここで、ステップＳ１０８における適用とは、例えば、記憶部１０６への記録や、記録およびインストール（install）を指す。ステップＳ１０８の処理により、電子財布装置１０は、ステップＳ１０４において電子財布装置１０に対応する非接触ＩＣカードではないと判定された非接触ＩＣカードを、対応する非接触ＩＣカードとして扱うことが可能となる。
【０１４２】
また、ステップＳ１０６において対応プログラムを入手可能ではないと判定された場合には、電子財布装置１０は例外処理を行い（Ｓ１１０）、処理を終了する。電子財布装置１０は、例外処理として、例えば、挿入されている非接触ＩＣカードが使用可能なサービスに対応していない旨のメッセージを表示部１０４に表示させることが挙げられるが、上記に限られない。例えば、電子財布装置１０は、対応しない非接触ＩＣカードをイジェクト（eject）することもできる。
【０１４３】
ステップＳ１０４において電子財布装置１０に対応する非接触ＩＣカードであると判定された場合には、電子財布装置１０は、非接触ＩＣカードの電子バリューのバリュー値ＣＶが０（ゼロ）でないか否か（「ＣＶ＝！０？」）を判定する（Ｓ１１２）。なお、図１０では示していないが、ステップＳ１１２以降の処理は、非接触ＩＣカードに記憶された電子バリューの数分繰り返し行うことができる。
【０１４４】
ステップＳ１１２において非接触ＩＣカードの電子バリューのバリュー値ＣＶが０（ゼロ）であると判定された場合には、電子財布装置１０は当該電子バリューに対する処理を終了する。
【０１４５】
また、ステップＳ１１２において非接触ＩＣカードの電子バリューのバリュー値ＣＶが０（ゼロ）ではないと判定された場合には、電子財布装置１０は、記憶部１０６に記憶された対応する電子バリューのバリュー値ＩＶにバリュー値ＣＶを加算する（「ＩＶ’＝ＩＶ＋ＣＶ」。Ｓ１１４）。
【０１４６】
ステップＳ１１４において加算処理が開始されると、電子財布装置１０は、加算処理が完了したか否かを判定し（Ｓ１１６）、加算処理が完了したと判定されるまで処理を進めない。
【０１４７】
ステップＳ１１６において加算処理が完了したと判定された場合には、電子財布装置１０は、非接触ＩＣカードに記憶された電子バリューのバリュー値をステップＳ１１４において加算した分減算する（「ＣＶ’＝ＣＶ−ＣＶ＝０」。Ｓ１１８）。
【０１４８】
ステップＳ１１８において減算処理が開始されると、電子財布装置１０は、減算処理が完了したか否かを判定し（Ｓ１２０）、減算処理が完了したと判定されるまで処理を進めない。また、ステップＳ１２０において減算処理が完了したと判定された場合には、電子財布装置１０は処理を終了する。
【０１４９】
電子財布装置１０は、例えば、図１０に示す方法を用いることによって、電子バリューを記録することができる。また、電子財布装置１０は、記憶部１０６に加算した電子バリューのバリュー値の分、非接触ＩＣカード１の電子バリューのバリュー値を減算するので、記録前の電子バリューの値の総和と、記録後の電子バリューの値の総和とを同一に保つことができる。なお、上記では、バリュー値が数値で表される電子バリューを例に挙げて説明したが、電子チケットなどバリュー値が単純に数値で表されない電子バリューが非接触ＩＣカードに記憶されている場合には、電子財布装置１０は、例えば、電子バリューそのものを記憶部１０６に記録して、非接触ＩＣカードから当該電子バリューを削除することにより電子バリューの移動を行うことができる。
【０１５０】
再度、図６を参照して電子財布装置１０の構成要素について説明する。電子バリュー管理部１２４は、電子財布装置１０における電子バリューの管理方法を制御する。具体的には、電子バリュー管理部１２４は、上記（Ｉ）〜（ＩＩＩ）に示した第１〜第３の管理方法のどの管理方法を用いるのかを制御し、例えば、カード内部情報記録部１２２における電子バリューの記録の方法を規定する。
【０１５１】
また、電子バリュー管理部１２４は、通信部１１２を介して外部装置から電子バリューが入力された場合には、当該電子バリューあるいは電子バリューのバリュー値を記憶部１０６に記録することもできる。
【０１５２】
電子財布装置１０は、電子バリュー管理部１２４を備えることにより、例えば、図７〜９に示すように電子バリューを記録することができる。
【０１５３】
データ処理部１２６は、送受信回路１１１が復調したリーダ／ライタ２１から送信される通信要求や各種処理要求などに基づいて、記憶部１０６に記憶された電子バリューの中から対応する電子バリューを選択する。そして、データ処理部１２６は、選択した電子バリューを用いて所定のサービスに関するデータ処理を行う。また、データ処理部１２６は、データ処理の結果に応じて、選択した電子バリューのバリュー値を更新する。
【０１５４】
また、データ処理部１２６は、送受信回路１１１にデータ処理の結果に応じた応答信号を送信させる。ここで、データ処理部１２６は、例えば、送受信回路１１１の負荷変調回路に対して、負荷変調を制御する制御信号を送信することによって、データ処理の結果に応じた応答信号を送信させることができるが、上記に限られない。
【０１５５】
電子財布装置１０は、上記のように電子バリューを選択し、選択された電子バリューを用いてリーダ／ライタ２１（または、ホスト装置２０）と通信することができる。
【０１５６】
カード内部情報書き戻し部１２８は、カード排出要求に応じて、記憶部１０６に記憶された電子バリューをセレクタ１０７およびカード通信用アンテナ１０８を介して、収納部１０２に収納された電子バリューが対応する非接触ＩＣカードへ書き戻す。ここで、カード排出要求は、例えば、ユーザが操作部１０３を用いて排出を所望する非接触ＩＣカードに対するイジェクト操作を行うことによって行われるが、上記に限られない。なお、カード内部情報書き戻し部１２８は、データ処理部１２６がデータ処理を行っているとき、すなわち電子財布装置１０がリーダ／ライタ２１と通信を行っているときには、当該通信の完了後に書き戻し処理を行うことができる。また、書き戻される電子バリューは、例えば、カード内部情報書き戻し部１２８が記憶部１０６に記憶された対応情報を読み出すことにより自動的に選択することができるが、上記に限られない。例えば、カード内部情報書き戻し部１２８が記憶部１０６に記憶された対応情報を読み出して表示部１０４に書き戻すことが可能な電子バリュー候補を表示させ、ユーザが操作部１０３を用いて電子バリューを選択することもできる。さらに、カード内部情報書き戻し部１２８は、表示部１０４に電子バリュー候補が対応する非接触ＩＣカード１（書き戻し先の候補）を表示させ、ユーザが操作部１０３を用いて電子バリューを書き戻す非接触ＩＣカードを選択することもできる。
【０１５７】
また、カード内部情報書き戻し部１２８は、書き戻す電子バリューが、バリュー値が数値で表される電子バリューである場合には、所定の書き戻し値、あるいは、指定された書き戻し値分のバリュー値を書き戻すことができる。ここで、上記指定された書き戻し値は、例えば、ユーザが操作部１０３を用いて設定することができる。また、所定の書き戻し値は、固定の値であってもよいし、例えばユーザが操作部１０３を用いて任意に設定することもできる。
【０１５８】
なお、カード内部情報書き戻し部１２８は、カード排出要求に応じて記憶部１０６に記憶された電子バリューを対応する非接触ＩＣカードへ書き戻すことができるが、本発明の実施形態に係る電子財布装置は上記に限られない。例えば、本発明の実施形態に係る電子財布装置は、ユーザが操作部１０３を用いて所定の操作を行うことによって、リーダ／ライタ２１と通信が行われていないときに電子バリューを書き戻し処理を行うこともできる。
【０１５９】
上記のように、カード内部情報書き戻し部１２８は、操作部１０３からの入力に応じて電子バリューを書き戻すことができる。したがって、電子財布装置１０が操作部１０３を備えることにより、例えば、ユーザは、電子バリューの値を書き戻す収納部１０２に収納された非接触ＩＣカード１の選択、および／または、書き戻す電子バリューの選択、および／または、電子バリューの値の選択を行うことができる。
【０１６０】
さらに、カード内部情報書き戻し部１２８は、電子バリューの書き戻しが完了すると、電子バリューを書き戻した非接触ＩＣカード１の収納部１０２からの排出を可能とさせる。ここで、カード内部情報書き戻し部１２８は、例えば、書き戻し処理の完了後に排出信号を収納部１０２に伝達し、当該排出信号に応じて収納部１０２が対応する非接触ＩＣカード１のロックを解除することが挙げられるが、上記に限られない。
【０１６１】
〔電子バリューの書き戻し方法〕
図１１は、本発明の実施形態に係る電子バリューの書き戻し方法の一例を示す流れ図である。図１１では、書き戻し方法の一例として、電子財布装置１０が非接触ＩＣカードを排出する場合における方法を示している。
【０１６２】
電子財布装置１０は、カード排出要求を検出する（Ｓ２００）。ステップＳ２００においてカード排出要求が検出されると、電子財布装置１０は、書き戻す値が指定されているか否かを判定する（Ｓ２０２）。
【０１６３】
ステップＳ２０２において書き戻す値が指定されている場合には、電子財布装置１０は、書き戻し値ＲＶを指定された書き戻す値に設定する（「ＲＶ＝ｉｎｐｕｔ」。ステップＳ２０４）。また、ステップＳ２０２において書き戻す値が指定されていない場合には、電子財布装置１０は、書き戻し値ＲＶを所定の値に設定する（「ＲＶ＝ｄｅｆ」。ステップＳ２０６）。
【０１６４】
ステップＳ２０４またはステップＳ２０６において書き戻し値ＲＶが設定されると、電子財布装置１０は、書き戻し値ＲＶが０（ゼロ）でないか否かを判定する（Ｓ２０８）。ステップＳ２０８において書き戻し値ＲＶが０（ゼロ）であると判定された場合には、電子財布装置１０は、カード排出要求に対応する非接触ＩＣカードを収納部１０２から排出する（Ｓ２１４）。
【０１６５】
また、ステップＳ２０８において書き戻し値ＲＶが０（ゼロ）ではないと判定された場合には、電子財布装置１０は、設定された書き戻し値ＲＶをカード排出要求に対応する非接触ＩＣカードに書き戻す（Ｓ２１０）。ステップＳ２１０の処理が完了することによって、非接触ＩＣカードの電子バリューのバリュー値ＣＶは書き戻し値ＲＶが加算された値となり、例えば、図１０のステップＳ１１８においてＣＶ＝０となっていた場合には、「ＣＶ＝ＲＶ」となる。
【０１６６】
ステップＳ２１０において書き戻し処理が開始されると、電子財布装置１０は、書き戻し処理が完了したか否かを判定し（Ｓ２１２）、書き戻し処理が完了したと判定されるまで処理を進めない。
【０１６７】
ステップＳ２１２において書き戻し処理が完了したと判定された場合には、電子財布装置１０は、記憶部１０６に記憶された電子バリューのバリュー値をステップＳ２１０において書き戻した分減算する（「ＩＶ’＝ＩＶ−ＲＶ」。Ｓ２１４）。
【０１６８】
ステップＳ２１４において減算処理が開始されると、電子財布装置１０は、減算処理が完了したか否かを判定し（Ｓ２１６）、減算処理が完了したと判定されるまで処理を進めない。また、ステップＳ２１６において減算処理が完了したと判定されると、電子財布装置１０は、カード排出要求に対応する非接触ＩＣカードを収納部１０２から排出する（Ｓ２１８）。ステップＳ２１６における減算処理の完了後に収納部１０２から非接触ＩＣカードを排出させる（排出を可能とさせる）ことにより、電子財布装置１０は、書き戻し前の電子バリューのバリュー値の総和と、書き戻し後の電子バリューのバリュー値の総和とを同一に保つことができる。
【０１６９】
電子財布装置１０は、例えば、図１１に示す方法を用いることによって、記憶部１０６に記憶された電子バリューを対応する非接触ＩＣカードへ書き戻すことができる。また、図１１に示す方法を用いる電子財布装置１０は、非接触ＩＣカードに書き戻した書き戻し値ＲＶに対応する値を記憶部１０６に記憶された電子バリューから減算した上で、非接触ＩＣカードを排出する。したがって、電子財布装置１０は、非接触ＩＣカードの排出前における記憶部１０６に記憶された電子バリューのバリュー値および非接触ＩＣカードに記憶された電子バリューのバリュー値の総和と、非接触ＩＣカードの排出後における記憶部１０６に記憶された電子バリューのバリュー値および非接触ＩＣカードに記憶された電子バリューのバリュー値の総和とを同一に保つことができる。
【０１７０】
なお、上記では、バリュー値が数値で表される電子バリューを例に挙げて説明したが、電子チケットなどバリュー値が単純に数値で表されない電子バリューを書き戻す場合には、電子財布装置１０は、例えば、電子バリューそのものを非接触ＩＣカードに記録し、記憶部１０６から当該電子バリューを削除することにより電子バリューの書き戻しを行うことができる。
【０１７１】
以上のように、本発明の実施形態に係る電子財布装置１０は、複数の非接触ＩＣカードを同時に収納可能な収納部１０２を備え、非接触ＩＣカード１の挿入（装着）に応じて、収納部１０２に挿入された非接触ＩＣカード１に記憶される電子バリューを記憶部１０６に記録する。ここで、電子財布装置１０は、カード認識部１２０を備えることにより、選択的に電子財布装置１０が対応する電子バリューを記録することができる。また、電子財布装置１０は、外部通信用アンテナ１１０、送受信回路１１１、およびデータ処理部１２６を備え、リーダ／ライタ２１から送信される通信要求などを復調し、復調した当該通信要求などに応じて、記憶部１０６に一元的に記憶された電子バリューの中から処理に使用する電子バリューを選択してデータ処理を行う。そして、電子財布装置１０は、データ処理の処理結果に応じて電子バリューを更新し、処理結果に応じた応答信号をリーダ／ライタ２１へ返信する。したがって、電子財布装置１０は、同時に携帯される複数枚の非接触ＩＣカードそれぞれに記憶された電子バリューを一元的に記憶し、記憶した電子バリューを用いて外部装置（リーダ／ライタ）と搬送波を用いた非接触通信を行うことができる。
【０１７２】
また、電子財布装置１０は、記憶部１０６に一元的に記憶された電子バリューを用いて外部装置（リーダ／ライタ）と直接搬送波を用いた非接触通信を行い、所定のサービスを享受することができる。このとき、収納部１０２に複数の非接触ＩＣカード１が収納されていたとしても、収納されている複数の非接触ＩＣカード１それぞれは、外部装置（リーダ／ライタ）と通信を行わない。つまり、電子財布装置１０では、上述した外部装置（リーダ／ライタ）の通信範囲内（外部装置の発する磁界の強さが通信可能な所定の大きさの範囲内）に複数の非接触ＩＣカードが存在することによっていずれの非接触ＩＣカードも通信できなくなるという問題は生じない。したがって、ユーザは、上記の問題によって電子財布装置１０を再度（あるいは、複数回）外部装置（リーダ／ライタ）にかざす動作を行う必要はなく、上述した発行元が異なる複数種類の電子マネーを組み合わせて使用可能とする従来の技術のようにユーザに過度の負担を課さない。
【０１７３】
さらに、電子財布装置１０は、記憶部１０６に一元的に記憶された電子バリューを収納部１０２に収納された非接触ＩＣカード１へ書き戻すカード内部情報書き戻し部１２８を備える。カード内部情報書き戻し部１２８は、非接触ＩＣカード１の排出要求に応じて、記憶部１０６に一元的に記憶された電子バリューを非接触ＩＣカードへと書き戻し、書き戻すバリュー値（書き戻し値）は、所定の値または任意の値とすることができる。つまり、電子財布装置１０は、電子バリューのバリュー値を非接触ＩＣカードにチャージする、いわゆるバリュー・チャージャーとして機能する。したがって、電子財布装置１０を用いることによって、ユーザは収納部１０２に収納された非接触ＩＣカード間で電子バリューを移動させることができ、電子財布装置１０は、上述した発行元が異なる複数種類の電子マネーを組み合わせて使用可能とする従来の技術よりも高い利便性をユーザに提供することができる。
【０１７４】
（本発明の実施形態に係るプログラム）
本発明の実施形態に係る電子財布装置１０をコンピュータとして機能させるためのプログラムによって、同時に携帯される複数枚の非接触ＩＣカードそれぞれに記憶された電子バリューを一元的に記憶し、記憶した電子バリューを用いて外部装置と搬送波を用いた非接触通信を行うことができる。
【０１７５】
（本発明の実施形態に係る通信方法）
次に、本発明の実施形態に係る電子財布装置１０における通信方法について説明する。図１２は、本発明の実施形態に係る電子財布装置１０における通信方法の一例を示す流れ図である。なお、図１２では、収納部１０２に非接触ＩＣカード１が挿入され、図１０に示す書き込み方法が行われた後の方法を示している。
【０１７６】
電子財布装置１０は、リーダ／ライタ２１からの通信要求が受信されたかを判定する（Ｓ３００）。電子財布装置１０は、送受信回路１１１が復調した通信要求を制御部１０５が受け取ることによりステップＳ３００の判定を行うことができる。ここで、ステップＳ３００において通信要求が受信されたと判定されない場合には、電子財布装置１０は処理を進めない。
【０１７７】
ステップＳ３００において通信要求が受信されたと判定されると、電子財布装置１０は、記憶部１０６に記憶している電子バリューの中から、通信要求に対応する電子バリューを選択し（Ｓ３０２）、対応する電子バリューがあるか否かを判定する（Ｓ３０４）。
【０１７８】
ステップＳ３０４において対応する電子バリューがないと判定された場合には、電子財布装置１０は、通信要求に係るデータ処理を行わず（Ｓ３１０）、例えば、データ処理を行えない旨の応答信号を送信してリーダ／ライタ２１との通信を終了させる（Ｓ３１２）。このとき、電子財布装置１０は、サービスを受けられない旨のメッセージを表示部１０４に表示させることもできる。
【０１７９】
また、ステップＳ３０４において対応する電子バリューがあると判定された場合には、電子財布装置１０は、対応する電子バリューを用いて通信要求に係るデータ処理を行う（Ｓ３０６）。そして、ステップＳ３０６におけるデータ処理が正常に完了すると、データ処理の処理結果に応じて記憶部１０６に記憶された電子バリューを更新する（Ｓ３０８）。
【０１８０】
ステップＳ３０８において記憶部１０６に記憶された電子バリューの更新が完了すると、電子財布装置１０は、データ処理の処理結果に応じた応答信号をリーダ／ライタ２１へ送信して通信を終了する（Ｓ３１２）。
【０１８１】
電子財布装置１０は、図１２に示す通信方法を用いることによって、同時に携帯される複数枚の非接触ＩＣカードそれぞれに記憶された電子バリューを一元的に記憶し、記憶した電子バリューを用いて外部装置と搬送波を用いた非接触通信を行うことができる。
【０１８２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１８３】
例えば、上述した本発明の実施形態として、非接触ＩＣカードが着脱される電子財布装置を挙げて説明したが、本発明の実施形態はかかる形態に限られない。例えば、本発明の実施形態に係る電子財布装置は、複数のＩＣチップが着脱可能に収納される携帯電話などの携帯型通信装置にも適用することができる。本発明の実施形態に係る電子財布装置が、例えば、携帯電話などの携帯型通信装置に適用される場合であっても、同時に携帯される複数枚の非接触ＩＣチップそれぞれに記憶された電子バリューを一元的に記憶し、記憶した電子バリューを用いて外部装置と搬送波を用いた非接触通信を行うことができる。
【０１８４】
上述した構成は、本発明の実施形態の一例を示すものであり、当然に、本発明の技術的範囲に属するものである。
【図面の簡単な説明】
【０１８５】
【図１】本発明の実施形態に係る電子財布装置の外観構成の一例を示す説明図である。
【図２】本発明の実施形態に係る電子財布装置の使用形態の一例を示す説明図である。
【図３】本発明の実施形態に係るホスト装置と非接触ＩＣカードとの構成を説明するための説明図である。
【図４】本発明の実施形態に係る電子財布装置の概略的な構成例を示すブロック図である。
【図５】本発明の実施形態に係る収納部の構成例を示す説明図である。
【図６】本発明の実施形態に係る電子財布装置の構成例を示すブロック図である。
【図７】本発明の実施形態に係る電子財布装置における電子バリューの第１の管理方法を示す説明図である。
【図８】本発明の実施形態に係る電子財布装置における電子バリューの第２の管理方法を示す説明図である。
【図９】本発明の実施形態に係る電子財布装置における電子バリューの第３の管理方法を示す説明図である。
【図１０】本発明の実施形態に係る電子バリューの記録方法の一例を示す流れ図である。
【図１１】本発明の実施形態に係る電子バリューの書き戻し方法の一例を示す流れ図である。
【図１２】本発明の実施形態に係る電子財布装置における通信方法の一例を示す流れ図である。
【符号の説明】
【０１８６】
１      非接触ＩＣカード
１０    電子財布装置
２０    ホスト装置
２１    リーダ／ライタ
１０２  収納部
１０３  操作部
１０４  表示部
１０５  制御部
１０６  記憶部
１１０  外部通信用アンテナ
１１１  送受信回路
１１２  通信部
１２０  カード認識部
１２２  カード内部情報記録部
１２４  電子バリュー管理部
１２６  データ処理部
１２８  カード内部情報書き戻し部
【図１】
2009110202.tif 000003
【図２】
2009110202.tif 000004
【図３】
2009110202.tif 000005
【図４】
2009110202.tif 000006
【図５】
2009110202.tif 000007
【図６】
2009110202.tif 000008
【図７】
2009110202.tif 000009
【図８】
2009110202.tif 000010
【図９】
2009110202.tif 000011
【図１０】
2009110202.tif 000012
【図１１】
2009110202.tif 000013
【図１２】
2009110202.tif 000014